(57)【要約】【課題】  結束バンドで物品を結束後の処理を考慮した結束バンドを提供する。【解決手段】  結束バンド１０は、帯部１１と、帯部１１の一方端側に設けられた吊下げ用フック部１７と、帯部１１の他方端側に設けられ、帯部１１を上下方向に通過させる通路３５を有する囲い壁部２０とを備え、囲い壁部２０は、帯部１１を側方から通路３５内に挿入するためのスリット３３を有する。【選択図】      図１
2006010066.tif 000002
【特許請求の範囲】
【請求項１】
帯部と、
前記帯部の一方端側に設けられた接続部と、
前記帯部の他方端側に設けられ、前記帯部を上下方向に通過させる通路を有する囲い壁部とを備え、
前記囲い壁部は、前記帯部を側方から前記通路内に挿入するためのスリットを有する、結束バンド。
【請求項２】
前記スリットは第１の開口寸法を有し、前記帯部は、前記第１の開口寸法より小さい第２の幅寸法を有する首部と、第１の開口寸法より大きい第３の幅寸法を有する帯本体部とを含み、
前記通路は、前記第３幅寸法より大きい幅寸法を有する、請求項１に記載の結束バンド。
【請求項３】
前記接続部は、前記第３幅寸法より大きい第４幅寸法を有する、請求項２に記載の結束バンド。
【請求項４】
前記帯本体部には連続した複数の歯が設けられ、
前記囲い壁部は、前記歯に係合する係止部を備える、請求項２または３に記載の結束バンド。
【請求項５】
前記首部は、前記帯部の一方端側で、前記帯本体部と、前記接続部との間に設けられる、請求項２から４のいずれかに記載の結束バンド。
【請求項６】
前記接続部は吊下げ用フック部である、請求項１から５のいずれかに記載の結束バンド。
【請求項７】
前記吊下げ用フック部は、前記帯部に対して回転可能である、請求項６に記載の結束バンド。
【請求項８】
前記吊下げ用フック部は、前記帯部に対して着脱可能である、請求項６または７に記載の結束バンド。
【請求項９】
前記接続部は、所定の接続具に着脱自在に接続され得る形状を有している、請求項１から５のいずれかに記載の結束バンド。
【請求項１０】
第１および第２の結束バンドと、前記第１および第２の結束バンドを着脱自在に接続する結束バンド接続具とを含む結束バンドセットあって、
前記結束バンドの各々は、
帯部と、
前記帯部の一方端側に設けられた接続部と、
前記帯部の他方端側に設けられ、前記帯部を上下方向に通過させる通路を有する囲い壁部とを備え、
前記囲い壁部は、前記帯部を側方から前記通路内に挿入するためのスリットを有し、
前記結束バンド接続具は、前記第１結束バンドの接続部と、前記第２結束バンドの接続部とを着脱自在に接続する、結束バンドセット。
【請求項１１】
前記結束バンド接続具は、前記第１結束バンド接続部を着脱自在に受入れる第１受入開口と、前記第２結束バンド接続部を着脱自在に受入れる第２受入開口とを有する、請求項１０に記載の結束バンドセット。
【発明の詳細な説明】
【技術分野】
【０００１】
この発明は、結束バンドおよび結束バンドセットに関し、特に、壁や柱などに吊下げることのできる結束バンドおよび結束バンドセットに関する。
【背景技術】
【０００２】
従来の結束バンドが、たとえば、特開２００３−２３７８２３号公報（特許文献１）に記載されている。
【０００３】
結束バンドは、細長で長手方向に沿って列設された複数の歯を有するバンド部と、バンド部の一端に、バンド部を挿通する挿通穴を有するとともに、挿通穴の一部に歯とかみ合う係止歯を有する枠状のバックル部とを備える。
【０００４】
特許文献１は、結束時にバンド部が容易に抜けることなく、かつ簡単な操作でバンド部を引き抜くことができる結束バンドを開示している。
【特許文献１】特開２００３−２３７８２３号公報（段落番号０００７および図１等）
【発明の開示】
【発明が解決しようとする課題】
【０００５】
従来の結束バンドは上記のように構成されていた。結束バンドの結束部において色々工夫はされていたが、結束した後のことは考慮されていなかった。
【０００６】
この発明は上記のような問題点に鑑みてなされたもので、結束バンドで物品を結束後に所望の処理が可能な結束バンドおよび結束バンドセットを提供することを目的とする。
【課題を解決するための手段】
【０００７】
この発明にかかる結束バンドは、帯部と、帯部の一方端側に設けられた接続部と、帯部の他方端側に設けられ、帯部を上下方向に通過させる通路を有する囲い壁部とを備え、囲い壁部は、帯部を側方から通路内に挿入するためのスリットを有する。
【０００８】
帯部をスリットを介して囲い壁部に通すことができるとともに、帯部の一方端側に設けた接続部を介して、結束バンドを別途設けられた任意の接続装置で保持できる。
【０００９】
その結果、結束バンドで物品を結束後に所望の処理が可能な結束バンドを提供することができる。
【００１０】
好ましくは、スリットは第１の開口寸法を有し、帯部は、第１の開口寸法より小さい第２の幅寸法を有する首部と、第１の開口寸法より大きい第３の幅寸法を有する帯本体部とを含み、通路は、第３幅寸法より大きい幅寸法を有する。
【００１１】
さらに好ましくは、接続部は、第３幅寸法より大きい第４幅寸法を有する。
帯本体部には連続した複数の歯が設けられてもよいし、囲い壁部は、歯に係合する係止部を備えてもよい。
【００１２】
首部は、帯部の一方端側で、帯本体部と、接続部との間に設けられるのが好ましい。
【００１３】
なお、接続部は吊下げ用フック部であってもよいし、吊下げ用フック部は、帯部に対して回転可能であってもよい。また、吊下げ用フック部は、帯部に対して着脱可能であるのが好ましい。
【００１４】
さらに好ましくは、接続部は、所定の接続具に着脱自在に接続され得る形状を有している。
【００１５】
この発明の他の局面においては、結束バンドセットは、第１および第２の結束バンドと、第１および第２の結束バンドを着脱自在に接続する結束バンド接続具とを含む。結束バンドの各々は、帯部と、帯部の一方端側に設けられた接続部と、帯部の他方端側に設けられ、帯部を上下方向に通過させる通路を有する囲い壁部とを備え、囲い壁部は、帯部を側方から通路内に挿入するためのスリットを有し、結束バンド接続具は、第１結束バンドの接続部と、第２結束バンドの接続部とを着脱自在に接続する。
好ましくは、結束バンド接続具は、第１結束バンド接続部を着脱自在に受入れる第１受入開口と、第２結束バンド接続部を着脱自在に受入れる第２受入開口とを有する。
【発明を実施するための最良の形態】
【００１６】
以下、この発明の一実施の形態を図面を参照して、説明する。図１は、この発明の一実施の形態にかかる結束バンドの平面図であり、図２は、図１において、ＩＩ−ＩＩで示す部分の断面図であり、図３は、図１において、ＩＩＩ−ＩＩＩで示す部分の断面図である。なお、図２においては、理解の容易のために、その一部（図中Ａで示す部分）を拡大している。
【００１７】
図１〜図３を参照して、結束バンド１０は、帯部１１と、帯部１１の一方端側に設けられた接続部の一例としてのフック部１７と、帯部１１の他方端側に設けられ、帯部１１を上下方向に通過させる通路を有する囲い壁部２０とを備える。
【００１８】
帯部１１は、帯本体部１２と帯部１１のフック部１８側に設けられた首部１８とを含む。首部１８は円柱状であり、帯部１１は扁平状である。
【００１９】
帯部１１は、図１に示すように、所定の幅ｄ２を有し、扁平状の帯本体部１２に、長手方向に連続して設けられた複数の歯１５を有している。図２のＡで示す部分を参照して、歯１５は、帯本体部１２の面に垂直な垂直面１５ａと、首部１８に向かって次第に厚みを減少する傾斜面１５ｂとを有する。
【００２０】
囲い壁部２０は、内部に、帯部１１を通過させる通路３５を有する。通路３５の厚み寸法は、帯部１１の厚み寸法とほぼ同じか、それより多少大きい寸法を有している。囲い壁部２０の通路３５の先端部には、帯部１１の幅方向寸法ｄ２より小さい幅寸法ｄ１のスリット３３が形成されている。通路３５およびスリット３３を形成するために、囲い壁部２０は、相互に間隔をあけて、対向して設けられた門形の一対の壁部２２ａ、２２ｂを含む。一対の壁部２２ａ、２２ｂの間には、空間が設けられ、その空間には、係止部２４が設けられる。
【００２１】
係止部２４は、周囲に空間部を開けた状態で、支持部３１によって、一対の壁部２２ａ、２２ｂに弾性的に支持されている。また、係止部２４は、通路３５に交差するように配置されている。
【００２２】
ここで、スリット３３の幅寸法ｄ１は、首部１８の幅寸法より広い。したがって、結束バンド１０の首部１８およびそれに続く帯本体部１２は、後に図４から図６を参照して説明するように、囲い壁部２０の通路３５を通過する。
【００２３】
係止部２４は、帯部１１に設けられた歯１５の垂直面１５に当接する係止歯２６を有する。係止部２４には、係止歯２６を支持部３１に対して所定の位置に保つように、リブ２７（図３参照）が設けられている。
【００２４】
上記したように、帯本体部１２に設けられた歯１５が、首部１８から次第に厚みを増す傾斜面１５ｂと、その傾斜面に続く垂直面１５ａとを有している。帯本体部１２が通路３５を通るとき、厚みの薄い部分から順に係止部２４に係合するため、通路３５を通した吊下げフック部１７を引張ることにより、物品を容易に結束できるとともに、一度結束して歯１５が係止歯２６と係合すると、逆方向に緩めることは困難である。
【００２５】
次に、接続部の一例としてのフック部１７を有する結束バンドの使用方法について説明する。図４は、結束バンド１０が、物品を結束して、係止部２４の係止歯２６を帯部１１の歯１５と噛み合わせた状態を示す図である。図４に矢印で示すように、フック部１７および首部１８を囲い壁部２０に近づけ、首部１８をスリット３３に通し、その後、帯本体部１２を通路３５に通す。
【００２６】
具体的な挿通方法を図５および図６を参照して説明する。図５は、結束バンド１０の首部１８をスリット３３に近づけた状態を示す図であり、図６は、結束バンド１０の首部１８をスリット３３に通した状態を示す図である。
【００２７】
図５および図６を参照して、結束バンド１０の首部１８をまず囲い壁部２０のスリット３３に入れ、その後、帯部１１を通路３５に通す。そして、吊下げフック部１７を引張る。その結果、図４に示すように、帯部１１は、囲い壁部２０と一体化される。なお、ここでは、帯部１１で保持される物品については、省略している。
【００２８】
図４を参照して、結束バンド１０が吊下げフック部１７を有しているため、物品を結束した後で、吊下げフック部１７を任意の突出部に吊下げることができる。
【００２９】
次に、吊下げフック部１７について説明する。図１に示すように、吊下げフック部１７はフックの形状を有している。結束バンド１０のフック部１７がフック形状を有しているため、外部の任意の凸部の位置に結束バンド１０を引っ掛けることができる。
【００３０】
なお、吊下げフック部１７は、図１に示したフック状に限らず、図７に示すように、リング状の吊下げフック５１であってもよい。リング状の吊下げフック部５１であれば、突出した釘や、棒等に容易に結束バンド１０を掛けることができるとともに、多少振動しても外れにくくなる。
【００３１】
なお、図１においては、吊下げフック部１７のフックは、帯部１１の扁平な面においてフック形状となる場合が示されているが、これに限らず、吊下げフック部１７のフックは帯部１１の扁平な面に対して、任意の方向に向けてもよい。
【００３２】
次に、この発明の他の実施の形態について説明する。図８および図９は、この発明の他の実施の形態を示す図である。図８は、他の実施の形態におけるフック部４１および首部１８の近傍を示す断面図であり、図９は、図８において、ＩＸ−ＩＸで示す部分の矢視図である。
【００３３】
図８および図９を参照して、この発明の他の実施の形態においては、接続部として首保持部４８を設け、首支持部４８を介して吊下げフック部４１が設けられる。吊下げフック部４１は、首部１８に対して、任意の方向に回転できるとともに、首部１８から取り外すことができる。
【００３４】
図８および図９を参照して、この実施の形態においては、首部１８は、その先端部に首部１８よりも径の大きい、円柱状の首支持部４８を有する。一方、吊下げフック部４１は、その首部１８と係合する部分に、フック部固定部４２を有する。
【００３５】
図９に示すように、フック部固定部４２は、その首部１８側の端部に円柱状の首支持部４８を回転可能に保持する首部支持部４４を有する。首部支持部４４は、その円周方向の一方向において、首部１８を取り出し可能なように、Ｕ字形状を有している。また、そのＵ字形状が、円周方向に回転しないように、フック部固定部４２にストッパ４５が設けられている。
【００３６】
首部１８と吊下げフック部１７とをこのような形状にすることにより、帯部１１の扁平部分の向きに対して、吊下げフック部１７を任意の方向に向けることが可能になる。ま、結束バンドでまず物品を結束した後で、吊下げフック部１７を首部１８に設けて、束ねた物品を任意の位置に保持できる。
【００３７】
なお、上記実施の形態においては、吊下げフック部をフック状や、リング状にした例について説明したが、これに限らず、外部に保持できる形状であれば、任意の形状としてもよい。
【００３８】
また、上記実施の形態においては、首部が円柱状である場合について説明したが、これに限らず、扁平状であっても、扁平状から円柱状に変化する形状であってもよい。
【００３９】
また、上記実施の形態においては、係止歯が歯と係合したあとは、ロックされる場合について説明したが、これに限らず、ロックを解除できる構成としてもよい。
【００４０】
次にこの発明のさらに他の実施の形態について説明する。この実施の形態においては、図８に示した接続部としての首支持部４８を有する２本の結束バンドを接続具で接続して結束バンドセットを構成する。その接続状態を図１０に示す。図１０を参照して、２本の結束バンド４０ａと４０ｂとが接続具５０で接続される。接続具５０の詳細を図１１に示す。図１１は、図１０において、ＸＩで示す部分の拡大図である。図１１を参照して、接続具５０は、一方の結束バンド４０ａの首支持部４８ａを着脱自在に受入れる第１受入開口５１と、もう一方の結束バンド４０ｂの首支持部４８ｂを着脱自在に受入れる第２受入開口５２とを有している。第１受入開口５１および第２受入開口５２の各々は、結束バンド４０の首支持部４８を受入れる首支持部受入部５１ａ，５２ａと首部１８を受入る首部スリット５１ｂ，５２ｂとを含む。
【００４１】
図１２は、接続具５０に２本の結束バンド４０ａ，４０ｂが接続される状態を示す図である。図１２に矢印で示すように、結束バンド４０ａ，４０ｂの首支持部４８ａ，４８ｂが接続具５０の受入開口５１，５２の設けられた方向から接続具５０の受入開口５１，５２に挿入されて接続される。
【００４２】
次に、図１０に示した結束バンドセットの具体的な使用方法について説明する。図１３および図１４は、結束バンドセットの使用方法の一例を示す図である。図１３および図１４に示すように、一方の結束バンド４０ｂを予め吊下げるための吊下げ棒５４に取付けておく。そして他方の結束バンド４０ａで吊り下げられる物、たとえば、ロープ等５５を束ねる。そして結束バンド４０ａで束ねられたロープ等５５と、吊下げ棒５４に取付けられた結束バンド４０ｂとを接続具５５で接続する。
【００４３】
図１４は、図１０に示した結束バンドセットで、たとえば電線等５６を連続して保持する場合を示す。
【００４４】
なお、結束バンドセットは、上記以外に任意の使用態様で使用してもよいのは、いうまでもない。
【００４５】
次に、吊下げフック部４１の拡がりの防止方法について説明する。図１や図８に示した吊下げフック部４１を有する結束バンド１０において、吊下げ中に吊下げフック部４１の強度が低下してフック部４１が広がって、吊下げた物が落下する可能性がある。図１５はこのようなことが生じないように広がり防止輪４３を設けた吊下げフック部４１を示す図である。図１５に示すように、吊下げフック部４１のフック部固定部４２との接続部に穴４１ａを設け、その穴４１ａを通って、その穴４１ａを中心として回転可能な広がり防止輪４３を設ける。この広がり防止輪４３の他方端部を吊下げフックの先端に設けた係合突出部４１ｂに係合させ、それによって、フック部４１を吊下げたときの、フック部４１の広がりを防止する。
【００４６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００４７】
この発明は、壁や柱などに吊下げることのできる結束バンドとして有利に利用され得る。
【図面の簡単な説明】
【００４８】
【図１】この発明にかかる結束バンドの平面図である。
【図２】この発明にかかる結束バンドの側面図である。
【図３】囲い壁部の詳細を示す図である。
【図４】結束バンドの使用状態を示す図である。
【図５】帯部を囲い壁部に通す手順を示す図である。
【図６】帯部を囲い壁部に通す手順を示す図である。
【図７】吊下げフック部の他の実施の形態を示す図である。
【図８】吊下げフック部と首部との係合状態の他の実施の形態を示す図である。
【図９】図８において、ＩＸ-ＩＸで示す部分の矢視図である。
【図１０】接続部を有する２本の結束バンドを接続具で接続した結束バンドセットを示す図である。
【図１１】接続具を示す図である。
【図１２】接続具と結束バンドの接続方法を示す図である。
【図１３】結束バンドセットの使用方法を示す図である。
【図１４】結束バンドセットの使用方法を示す図である。
【図１５】広がり防止輪を設けた吊下げフック部を示す図である。
【符号の説明】
【００４９】
１０，４０  結束バンド、１１帯部、１２  帯本体部、１５  歯、１７  吊下げフック部、１８  首部、２０  囲い壁部、２２  壁部、２４  係止部、２６  係止歯、３１  支持部、３３  スリット、３５  通路、４８  首支持部、５０  接続具、５１，５２  受入開口。
【図１】
2006010066.tif 000003
【図２】
2006010066.tif 000004
【図３】
2006010066.tif 000005
【図４】
2006010066.tif 000006
【図５】
2006010066.tif 000007
【図６】
2006010066.tif 000008
【図７】
2006010066.tif 000009
【図８】
2006010066.tif 000010
【図９】
2006010066.tif 000011
【図１０】
2006010066.tif 000012
【図１１】
2006010066.tif 000013
【図１２】
2006010066.tif 000014
【図１３】
2006010066.tif 000015
【図１４】
2006010066.tif 000016
【図１５】
2006010066.tif 000017